(57)【要約】      （修正有）【課題】高さ調節の範囲が広く、また、枕の使用面積を調整可能な冊子型枕を提供する。【解決手段】冊子型枕１０は、矩形状の薄型枕で構成された複数のページ部材１ａ〜１ｅと、複数のページ部材の一辺と着脱自在に連結された背表紙部２と、を備え、背表紙部を軸として複数のページ部材１で見開き面αを形成し、見開き面の一の面に積層された複数のページ部材のうち所定数のページ部材を見開き面の他の面へ移動させること、且つ背表紙部に連結された複数のページ部材の枚数を増減させることで高さ調節を可能とする。また、見開き面の２つの面を左右に配置することにより、使用面積を２倍にすることも可能である。【選択図】図４
0003210875.tif 000002
【実用新案登録請求の範囲】
【請求項１】
矩形状の薄型枕で構成された複数のページ部材と、
前記複数のページ部材の一辺と着脱自在に連結された背表紙部と、
を備え、
前記背表紙部を軸として前記複数のページ部材で見開き面を形成し、前記見開き面の一の面に積層された前記複数のページ部材のうち所定数のページ部材を前記見開き面の他の面へ移動させることで高さを調整可能とし、且つ前記背表紙部に連結された前記複数のページ部材の枚数を増減させることで高さ調節を可能とする冊子型枕。
【請求項２】
前記背表紙部には、前記複数のページ部材の一辺と接する側に紐状部材が設けられ、
前記複数のページ部材は、前記背表紙部と連結される一辺に設けられた輪状部材に前記背表紙部に設けられた前記紐状部材が結び付けられることで、前記背表紙部に連結される
請求項１に記載の冊子型枕。
【請求項３】
前記背表紙部には、前記複数のページ部材の一辺と接する側に輪状部材が設けられ、
前記複数のページ部材は、前記背表紙部と連結される一辺に設けられた紐状部材が前記背表紙部に設けられた前記輪状部材に結び付けられることで、前記背表紙部に連結される
請求項１に記載の冊子型枕。
【請求項４】
前記輪状部材および前記紐状部材は、柔軟性を有する素材で形成されている
請求項２又は３に記載の冊子型枕。
【請求項５】
前記輪状部材および前記紐状部材は、天然繊維又はウレタンで形成されている、請求項４に記載の冊子型枕。
【請求項６】
前記複数のページ部材のそれぞれは、厚さが１ｃｍから５ｃｍの範囲で形成されている
請求項１から５の何れか１項に記載の冊子型枕。
【考案の詳細な説明】
【技術分野】
【０００１】
本考案は、使用者の体格又は体調に合わせて高さや使用面積を容易に調整可能とした枕に関する。
【背景技術】
【０００２】
従来の枕は、包布にスポンジ、ビーズクッションあるいは綿などを充填して一定の高さ、大きさに仕上げたものが主流であった。また、一方で、高さ調節可能な枕も知られている（例えば、特許文献１及び２）。
【先行技術文献】
【特許文献】
【０００３】
【特許文献１】特開２０００-１３９６５４号公報
【特許文献２】実用新案登録第３１８０４５４号公報
【考案の概要】
【考案が解決しようとする課題】
【０００４】
しかしながら、従来の高さ調節可能な枕では、高さを調節することは可能であるものの、高さ調節の範囲が狭く、また、枕の使用面積も限られている。
【課題を解決するための手段】
【０００５】
上記課題を解決するために、本考案の一態様による冊子型枕は、矩形状の薄型枕で構成された複数のページ部材と、前記複数のページ部材の一辺と着脱自在に連結された背表紙部と、を備え、前記背表紙部を軸として前記複数のページ部材で見開き面を形成し、前記見開き面の一の面に積層された前記複数のページ部材のうち所定数のページ部材を前記見開き面の他の面へ移動させることで高さを調整可能とし、且つ前記背表紙部に連結された前記複数のページ部材の枚数を増減させることで高さ調節を可能とする。
【考案の効果】
【０００６】
本考案の目的は、高さ調節の範囲が広く、また、枕の使用面積を調整可能な冊子型枕を提供することにある。
【図面の簡単な説明】
【０００７】
【図１】本考案による冊子型枕の概略構成を示す斜視図である。
【図２】本考案による冊子型枕の各構成を示す分解斜視図である。
【図３】本考案による冊子型枕の使用例を示す図である（その１）。
【図４】本考案による冊子型枕の使用例を示す図である（その２）。
【図５】本考案による冊子型枕の使用例を示す図である（その３）。
【図６】本考案による冊子型枕の使用例を示す図である（その４）。
【考案を実施するための形態】
【０００８】
以下、図１から図６を用いて、本考案の実施の形態（実施形態）について詳細に説明する。なお、本考案は、以下の実施の形態に限定されるものではなく、その要旨の範囲内で種々変形して実施することができる。すなわち、実施の形態の例に記載されている構成部品の寸法、材質、形状、その相対的配置等は特に記載がない限り、本考案の範囲を限定する趣旨ではなく、単なる説明例に過ぎない。また、使用する図面は、本実施の形態を説明するための一例であり、実際の大きさを表すものではない。各図面が示す部材の大きさや位置関係等は、説明を明確にするため誇張していることがある。なお、以下に説明する各図において、同一の構成を有する部分には同一の符号を付し、その繰り返しの説明は省略する。
【０００９】
図１は、本実施形態による冊子型枕１０の構成例を模式的に示す外観斜視図である。図１に示すように、冊子型枕１０は、矩形状の薄型枕で構成された複数のページ部材１と、複数のページ部材１のそれぞれの一辺と着脱自在に連結された背表紙部２と、を備えている。以下、理解を容易にするため、５枚のページ部材１（ページ部材１ａ〜１ｅ）が背表紙部２に連結されている場合を例にとって説明する。
【００１０】
ページ部材１は、袋体に蕎麦殻、ビーズクッション、ウレタン、スポンジ等、一般に用いられる材質の充填材が収納されて形成された薄型の枕である。例示した充填材は一例であって、これら以外の充填材が用いられてもよい。また、ページ部材１の厚さは、１ｃｍから５ｃｍ前後が望ましい。冊子型枕１０は、複数のページ部材１（本例では、ページ部材１ａ〜１ｅ）が背表紙部２に連結されることにより、図１に示すように冊子に模した形状を有する。
【００１１】
図２は、本考案による冊子型枕１０の各構成を示す分解斜視図である。図２に示すように、複数のページ部材１のそれぞれの一辺には、一対の輪状部材１１が取り付けられている。輪状部材１１は、例えば紐状の部材の両端をページ部材１の一辺に接合して形成されている。
【００１２】
図２に示すように、背表紙部２は、矩形状を有する薄い板状の部材である板部２０と、板部２０に設けられた４本の結合紐２１（紐状部材の一例）とを備えている。板部２０及び結合紐２１は、柔軟性を有する材料で形成されている。ここで、柔軟性を有する素材の一例としては、天然繊維やウレタン等がある。板部２０の一の長辺に設けられた２本の結合紐２１ａ，２１ｂの配置間隔と、板部２０の他の長辺に設けられた２本の結合紐２１ｃ，２１ｄの配置間隔とは同一になっている。さらに、結合紐２１ａ，２１ｂ及び結合紐２１ｃ，２１ｄのそれぞれの配置間隔と、ページ部材１に設けられた一対の輪状部材１１の配置間隔も同一になっている。
【００１３】
このように、冊子型枕１０の背表紙部２には、複数のページ部材１（本例では、ページ部材１ａ〜１ｅ）の一辺と接する側に結合紐２１（結合紐２１ａ〜２１ｄ）が設けられ、複数のページ部材１は、背表紙部２と連結される一辺に設けられた輪状部材１１に背表紙部２に設けられた結合紐２１が結び付けられることで、背表紙部２に連結される。これにより、冊子型枕１０は、図１に示すように、冊子を模した形状に形成される。
【００１４】
より具体的には、複数のページ部材１のそれぞれは、各ページ部材１に設けられた輪状部材１１に、背表紙部２の板部２０の一の長辺に設けられた一の結合紐２１（例えば結合紐２１ａ）を通し、板部２０の他の長辺に設けられた他の結合紐２１（例えば結合紐２１ｃ）と結ぶことにより、背表紙部２に対して着脱自在に連結される。
【００１５】
図１では、背表紙部２に５枚のページ部材１（ページ部材１ａ〜１ｅ）が連結されているが、背表紙部２の板部２０の短辺の長さと結合紐２１のそれぞれの長さに応じて、背表紙部２に連結できるページ部材１の枚数を増減させることができる。例えば、板部２０の短辺の長さ及び結合紐２１のそれぞれの長さを長くすれば、より多くのページ部材１を背表紙部２に連結させることができる。これにより、本実施形態による冊子型枕１０は、広い範囲で高さ調節することが可能となる。
【００１６】
本実施形態による冊子型枕１０を使用するときは、使用者は、例えば所定数のページ部材１を冊子のページのように捲り、必要に応じて冊子型枕１０の高さの調節を行う。以下、図３から図６を用いて、冊子型枕１０の使用例を説明する。
【００１７】
図３は、冊子型枕１０の一の使用例を示す図である。図３には、背表紙部２に連結された全てのページ部材１を重ね合わせた状態の冊子型枕１０の使用例が図示されている。図３に示す例では、冊子を閉じたような状態でページ部材１ａ〜１ｅが積層されており、冊子型枕１０の高さは、背表紙部２に５枚のページ部材１が連結された場合における最高の高さとなっている。本例では、ページ部材１に連結されたページ部材１は５枚であるため、ページ部材１の厚さが例えば２ｃｍであった場合、高さは１０ｃｍ（＝２ｃｍ×５）となる。背表紙部２に連結するページ部材１の枚数は、ページ部材１に設けられた一の輪状部材１１を背表紙部２の板部２０に設けられている２本の結合紐２１で結び付けることが出来る範囲内で増やしていくことができる。このため、図３に示す冊子型枕１０の背表紙部２にさらにページ部材１を追加で連結させることで、冊子型枕１０の高さをより高くすることができる。例えば、図３に示す背表紙部２にさらに５枚のページ部材１を追加すれば、冊子型枕１０の高さは最高で２０ｃｍ（２ｃｍ×１０）となる。
【００１８】
また、本実施形態による冊子型枕１０は、背表紙部２に連結されたページ部材１を取り外し、背表紙部２に連結されたページ部材１の数を減らしていくことで、高さを低くしていくこともできる。例えば、背表紙部２に連結された５枚のページ部材１（ページ部材１ａ〜１ｅ）のうち４枚を背表紙部２から取り外し、最終的にページ部材１を１枚残すことで、冊子型枕１０の高さをページ部材１の１枚分の高さ（例えば、２ｃｍ）まで低くすることができる。ページ部材１は、一対の輪状部材１１に結び付けられた背表紙部２の結合紐２１のそれぞれを解くだけで、容易に背表紙部２から取り外すことができる。
【００１９】
また、背表紙部２は、例えば図３に示す例のように冊子型枕１０を使用する場合に、使用者の就寝中に複数のページ部材１の一部が使用者の頭頂部が指す方向にずれることを防止する機能を有する。
【００２０】
図４は、冊子型枕１０の別の使用例を示す図である。図４には、背表紙部２に連結された複数のページ部材１（本例では、ページ部材１ａ〜１ｅの５枚）のうち一部（本例ではページ部材１ａ〜１ｃの３枚）のページ部材１を、冊子型枕１０の使用時における上方に捲り、残余のページ部材１（本例では、ページ部材１ｄ，１ｅの２枚）を重ね合わせた部分に使用者が頭を載せる例が図示されている。より具体的には、冊子型枕１０は、背表紙部２を軸として複数のページ部材１で見開き面αを形成し、見開き面αの一の面に積層された複数のページ部材１のうち所定数のページ部材１を見開き面の他の面へ移動させることで高さを調整可能である。
【００２１】
これにより、本実施形態による冊子型枕１０は、例えば就寝時において、背表紙部２に対してページ部材１の取り付け又は取り外しを行うことなく、ページ部材を捲る容易な動作のみで高さの微調整を行うことができる。例えば、ページ部材１のそれぞれの高さが２ｃｍであれば、冊子型枕１０は、高さを２ｃｍ単位で容易に微調整することができる。したがって、冊子型枕１０は、使用時の体調や使用者の体格に合わせて高さを調節することが可能である。これにより、冊子型枕１０は、他の敷物等を枕の下に敷いたり、複数種類の高さの枕を揃えたりする時間的、経済的な負担を軽減することができる。さらに、冊子型枕１０では、複数のページ部材１を日ごとに捲っていくことで、日によって異なるページ部材１に使用者の頭部が接するようにすることができる。これにより、冊子型枕１０は従来の枕に比べて長い期間に亘って清潔さを維持することができる。
【００２２】
図５は、冊子型枕１０の見開き面αの両面を使用する例を示す図である。図５に示すように、冊子型枕１０は、背表紙部２を挟んだ見開き面αの２つの面を上下に配置することで、見開き面αの一の面で頭部を支え、他の面で肩や背中も支えることができる。図５に示す例において、冊子型枕１０は、複数のページ部材１のうちページ部材１ａ〜１ｄで使用者の頭部を支え、ページ部材１ｅで使用者の背中部分を支えている。
【００２３】
また、図６は、冊子型枕１０の見開き面αの両面を使用する他の例を示す図である。本例では、図３〜図５に示すのと異なり、例えば背表紙部２には２枚のページ部材１ａ，１ｂが連結され、ページ部材１ａ，１ｂで形成された見開き面αに跨るように冊子型枕１０に使用者の頭部が載せられている。図６に示すように、冊子型枕１０は、背表紙部２を挟んだ見開き面αの２つの面（ページ部材１ａ，１ｂ）を左右に配置することで、図３から図５に示す例に比べて、頭部を載せる面積を２倍にすることができる。これにより、例えば使用者が就寝中に寝返りを打っても頭部が枕から外れてしまうことが生じにくい。また、上述したように、冊子型枕１０の背表紙部２（板部２０及び結合紐２１）は、柔軟性を有する材料を用いて形成されている。これにより、冊子型枕１０では背表紙部２が体に触れた際に使用者に与える違和感が極めて少ない。このため、図６に示すように、例えば使用者の後頭部が冊子型枕１０の背表紙部２に接触しても、使用者は不快感を覚えることなく就寝することができる。
【００２４】
以上、説明したように、本実施形態による冊子型枕１０は、矩形状の薄型枕で構成された複数のページ部材１と、複数のページ部材の一辺と着脱自在に連結された背表紙部２と、を備え、背表紙部２を軸として複数のページ部材１で見開き面αを形成し、見開き面αの一の面に積層された複数のページ部材１のうち所定数のページ部材を見開き面αの他の面へ移動させることで高さを調整可能とし、且つ背表紙部２に連結された複数のページ部材１の枚数を増減させることで高さ調節を可能とする。これにより、冊子型枕１０は、体格や体調に合わせて使用者の頭部を支えるページ部材１の枚数を増減させることが可能であって高さ調節の範囲が非常に広く、且つ使用面積（使用者の頭部を載せる面積）を容易に調整することができる。
【００２５】
（変形例）
上記実施形態では、輪状部材１１はページ部材１の一辺（例えば一の長辺に）設けるとしたが、本考案はこれに限られない。輪状部材１１は、例えば全ての辺に設けられてもよい。これにより、冊子型枕１０の使用時において、使用者が好みに合わせて冊子型枕１０の形状を変化させることができる。
【００２６】
また、上記実施形態では、ページ部材１の一辺に輪状部材１１が設けられ、背表紙部２の板部２０に結合紐２１が設けられるとしたが、本考案はこれに限られない。例えば冊子型枕１０において、背表紙部２には、複数のページ部材１の一辺と接する側に輪状部材が設けられ、複数のページ部材１は、背表紙部２と連結される一辺に設けられた紐状部材が背表紙部２に設けられた輪状部材に結び付けられることで、背表紙部２に連結されてもよい。この構造によっても、冊子型枕１０は、上記実施形態と同様の作用効果を奏する。
【符号の説明】
【００２７】
１、１ａ、１ｂ、１ｃ、１ｄ、１ｅ  ページ部材
２  背表紙部
１０  冊子型枕
１１  輪状部材
２０  板部
２１、２１ａ、２１ｂ、２１ｃ、２１ｄ  結合紐
α  見開き面
【図１】
0003210875.tif 000003
【図２】
0003210875.tif 000004
【図３】
0003210875.tif 000005
【図４】
0003210875.tif 000006
【図５】
0003210875.tif 000007
【図６】
0003210875.tif 000008